(57)【要約】【課題】並設される２本の電力線のそれぞれに設けられる２つの圧縮形直線スリーブを同時に補強することができ、スペーサとしても利用できる圧縮形直線スリーブ補強装置を提供する。【解決手段】並設される電力線２ａ，２ｂのそれぞれに設けられる圧縮形直線スリーブ３ａ，３ｂの両端近傍に一対ずつ取設されるくさび型クランプ４と、それらの電力線２ａ，２ｂの間に配設される連結治具６と、個々のくさび型クランプ４と連結治具６とをつなぐ直線状の連結材５とを有し、連結材５のくさび型クランプ４に接続されない側の端部は連結治具６に枢設され、連結治具６を中心にしてその四方に連結材５が放射状に枢設され，個々の連結材５の連結治具６に接続されない側の端部にそれぞれくさび型クランプ４の引留め具４ｂが接続されて，連結治具６と連結材５とくさび型クランプ４からなる連結体はＸ字形をなす圧縮形直線スリーブ補強装置による。【選択図】図１
2013158090.tif 000002
【特許請求の範囲】
【請求項１】
並設される２本の電力線のそれぞれに設けられる圧縮形直線スリーブの両端近傍に一対ずつ取設されるくさび型クランプと、
並設される２本の前記電力線の間に配設される連結治具と、
個々の前記くさび型クランプと前記連結治具とを一体につなぐ直線状の連結材とを有し、
前記連結材の前記くさび型クランプに接続されない側の端部は，前記連結治具に枢設され、
前記連結治具を中心にしてその四方に４本の連結材が放射状に枢設され，個々の前記連結材の前記連結治具に接続されない側の端部にそれぞれ前記くさび型クランプの引留め具が接続されて，前記連結治具と前記連結材と前記くさび型クランプからなる連結体はＸ字形をなすことを特徴とする圧縮形直線スリーブ補強装置。
【請求項２】
前記連結材は、その伸長方向における長さを変更可能であることを特徴とする請求項１記載の圧縮形直線スリーブ補強装置。
【請求項３】
前記連結治具は、平板体であることを特徴とする請求項１又は請求項２に記載の圧縮形直線スリーブ補強装置。
【発明の詳細な説明】
【技術分野】
【０００１】
本発明は、並設される２本の電力線のそれぞれに設けられる２つの圧縮形直線スリーブを同時に補強することができ、スペーサとしても利用できる圧縮形直線スリーブ補強装置に関する。
【背景技術】
【０００２】
従来、鉄塔等に架設される電力線は径間内において、圧縮形直線スリーブによって接続されている。この圧縮形直線スリーブは、定期的に保守点検されているが、その際に不良が発見された場合には、改修又は補強の処置が必要となる。
この不良は具体的には、圧縮形直線スリーブの内部が腐食・酸化した場合には、電力線の接続部における電気抵抗が増し発熱が生じるおそれがある（環境条件による不良）。また、施工時に圧縮形直線スリーブ内に充填する充填材が不足している場合や、圧縮形直線スリーブへの電力線の挿入量が不足している場合も、電力線の接続部における電気抵抗が増して発熱が生じるおそれがある（施工条件による不良）。
上述のような環境条件や施工条件による不良により、圧縮形直線スリーブが発熱すると、電力線の接続部の抗張力が低下し、最悪の場合、電力線が断線するおそれもあり、速やかに改修する必要がある。そして、電力線の改修までの間、圧縮形直線スリーブを何らかの手段により補強しておくことが望ましかった。
【０００３】
この場合、改修方法の一例として、全径間の電力線、又は、この全径間の電力線の前後径間の電力線を張り替えることで、上述の課題を根本的かつ完全に解決することができるものの、大掛かりな作業になる上、多額のコストを要するという課題があった。
他の改修方法としては、既存の電力線の間に割線を挿入して新たな圧縮形直線スリーブを設ける方法もある。この場合、前者の場合ほど作業量は大きくならないものの、大掛かりな作業を要することには変わりなかった。また，新たに圧縮形直線スリーブを設けることにより，定期的な点検が必要となる。
さらに、従来公知の圧縮形直線スリーブの補強方法としては、圧縮形直線スリーブの発熱箇所にアーマロッドを巻きつけて電力線に流れる電流を分流させて、圧縮形直線スリーブ内における内部腐食を鈍化させる、スリーブバイパス装置の設置などが知られている。
本発明と同一の解決すべき課題を有する先行技術文献は現時点では発見されていないが、関連する技術分野の先行技術としては以下に示すようなものが知られている。
【０００４】
特許文献１には「バイパスクランプ」という名称で、架空送電線の圧縮接続に使用される圧縮スリーブの劣化に対する、応急処置用のバイパスクランプに関する発明が開示されている。
特許文献１に開示される発明は、文献中に記載される符号をそのまま用いて説明すると、送電線４２Ａ，４２Ｂ同士を圧縮接続している圧縮形直線スリーブ４３の両側に把持クランプ２Ａ，２Ｂを配置させてその間を電気的・機械的に接続するものである。両把持クランプ２Ａ，２Ｂは、圧縮形直線スリーブ４３の両側の送電線４２Ａ，４２Ｂをそれぞれ把持しており、両把持クランプ２Ａ，２Ｂ間は、２本のアルミ合金棒３，４で連結することを特徴とするものである。
上記構成の特許文献１に開示される発明によれば、送電線を交換するまでの期間、送電線としての電気的性能と機械的性能を補完することができる。また、劣化して発熱した直線スリーブを、送電線交換までの間、破断させず、設備としての機能を落とさず使用でき、送電線の応急対策を確実に行うことができるという効果を有する。
【０００５】
特許文献２には「繊維強化送電線用クランプ及びスペーサ」という名称で、送電線用クランプ及びスペーサに関する発明が開示されている。
特許文献２に開示される繊維強化送電線用スペーサは、アルミ又はアルミ合金のクランプの一部あるいは全部に、セラミックスの短繊維又はウィスカーを複合して繊維強化したクランプを複数個備えてなるものである。
上記構成の特許文献２に開示される発明によれば、アルミ又はアルミ合金のクランプにセラミックスの短繊維又はウィスカーを複合したことにより、電線温度上昇に伴うクランプの強度低下を防止できる。また、耐熱性の向上を図った繊維強化型電線のメリットが最大限発揮できる。さらに、アルミ又はアルミ合金のクランプにセラミックスの短繊維又はウィスカーを複合することによりクランプの軽量化を図ることができ、鉄塔強度の低減が可能となる。
【先行技術文献】
【特許文献】
【０００６】
【特許文献１】特開２００２−１０１５３８号公報
【特許文献２】特開平８−１８２１６５号公報
【発明の概要】
【発明が解決しようとする課題】
【０００７】
上述の特許文献１に開示される発明によれば、電力線に設けられる圧縮形直線スリーブを個別に補強することができるものの、並設される２本の電力線のそれぞれに設けられる２つの圧縮形直線スリーブを同時に補強することはできなかった。
【０００８】
特許文献２に開示される発明によれば、並設される２本の電力線の間にＸ字形をなすスペーサを形成できると考えられるものの、矩形状のスペーサに対する、くさび型クランプの取付け角度が変更可能に構成されていないので、圧縮形直線スリーブの長さによっては、その両端にくさび型クランプを取設することができず、圧縮形直線スリーブの補強ができない可能性があった。この場合、当然のことながらスペーサとしての機能も発揮し得ない。
また、特許文献２に開示される発明の場合、矩形状のスペーサ（特許文献２中の図４を参照）と、くさび型クランプとを一体に連結した際に、矩形状のスペーサとくさび型クランプとの距離を変更可能に構成されていないので、並設される２本の電力線のそれぞれに設けられる２つの圧縮形直線スリーブの長さや、電力線の伸長方向における取付け位置が異なる場合に、スペーサを設置することができず、このため、並設される２つの圧縮形直線スリーブを同時に補強することができなかった。
【０００９】
本発明はかかる従来の事情に対処してなされたものでありその目的は、並設される２本の電力線のそれぞれに設けられる２つの圧縮形直線スリーブを同時に補強することができ、しかも、スペーサとしても利用できる圧縮形直線スリーブ補強装置を提供することにある。
また、上記目的に加えて、並設される２本の電力線のそれぞれに設けられる２つの圧縮形直線スリーブの電力線の伸長方向における取付け位置が一致していない場合でも支障なく取設できる圧縮形直線スリーブ補強装置を提供することにある。
【課題を解決するための手段】
【００１０】
上記目的を達成するため請求項１記載の発明である圧縮形直線スリーブ補強装置は、並設される２本の電力線のそれぞれに設けられる圧縮形直線スリーブの両端近傍に一対ずつ取設されるくさび型クランプと、並設される２本の電力線の間に配設される連結治具と、個々のくさび型クランプと連結治具とを一体につなぐ直線状の連結材とを有し、連結材のくさび型クランプに接続されない側の端部は，連結治具に枢設され、連結治具を中心にしてその四方に４本の連結材が放射状に枢設され，個々の連結材の連結治具に接続されない側の端部にそれぞれくさび型クランプの引留め具が接続されて，連結治具と連結材とくさび型クランプからなる連結体はＸ字形をなすことを特徴とするものである。
上記構成の請求項１記載の発明において、個々のくさび型クランプは、圧縮形直線スリーブの長手方向両端のそれぞれを、十分な強度をもって把持するとともに、圧縮形直線スリーブの長手方向両端のそれぞれに作用する引張力を連結治具を介して並設される他の電力線に伝達させて、圧縮形直線スリーブに作用する引張力を大幅に軽減するという作用を有する。
また、連結治具は１つのくさび型クランプに作用する引張力を、連結材を介して、連結治具の平面方向中心と点対称位置に配置される他のくさび型クランプに伝達するという作用を有する。
さらに、連結材は、くさび型クランプと連結治具とを一体に連結するとともに、長さの異なる連結材を使用することで、くさび型クランプと連結治具との距離を変更可能にするという作用を有する。
加えて、連結治具に連結材を枢設することで、連結治具に対する連結材の平面方向における取り付け角度を変更可能にするという作用を有する。そして、この作用により、連結治具を中心にしてその四方に４本の連結材を放射状に枢設し、個々の連結材の連結治具に接続されない側の端部にそれぞれくさび型クランプの引留め具を接続して、Ｘ字形の連結体を形成して、並設される２本の電力線間に配設した場合に、２本の電力線間の距離を所望量に保つという作用を有する。さらに、この作用により、連結治具と連結材とくさび型クランプからなる連結体を、スペーサとして機能させるという作用を有する。
また、請求項１記載の圧縮形直線スリーブ補強装置の全てを導電体である、例えば、金属により構成することで、並設される２本の電力線のそれぞれに流れる電流を、並設される他の電力線に分流させて、圧縮形直線スリーブに流れる電流の絶対量を少なくするという作用を有する。そして、この作用により、圧縮形直線スリーブの腐食による劣化進行を鈍化させるという作用を有する。
【００１１】
請求項２記載の発明である圧縮形直線スリーブ補強装置は、請求項１記載の圧縮形直線スリーブ補強装置であって、連結材は、その伸長方向における長さを変更可能であることを特徴とするものである。
上記構成の請求項２記載の発明は、請求項１記載の発明と同じ作用に加えて、連結材の伸長方向における長さを変更可能とすることで、連結材の汎用性を高めるという作用を有する。この場合、連結治具とくさび型クランプとの間の距離を変更する際に、長さの異なる複数種類の連結材を取り揃えておく必要がなくなる。
この結果、請求項２記載の圧縮形直線スリーブ補強装置の汎用性が高められる。
【００１２】
請求項３記載の発明である圧縮形直線スリーブ補強装置は、請求項１又は請求項２に記載の圧縮形直線スリーブ補強装置であって、連結治具は、平板体であることを特徴とするものである。
上記構成の請求項２記載の発明は、請求項１又は請求項２記載の発明と同じ作用に加えて、連結治具を平板体により構成することで、連結治具への連結材の取付けにボルト及びナットを使用することが可能になる。また、連結治具の製造コストを廉価にするという作用を有する。
この結果、請求項２記載の圧縮形直線スリーブ補強装置を廉価に提供するという作用を有する。
【発明の効果】
【００１３】
本発明の請求項１記載の発明である圧縮形直線スリーブ補強装置によれば、１つの圧縮形直線スリーブの長手方向両端に作用する引張力を、くさび型クランプ、連結材、連結治具を介して、並設される他の電力線の他の圧縮形直線スリーブ補強装置の長手方向両端に伝達させることができる。
この結果、並設される２本の電力線のそれぞれに設けられる圧縮形直線スリーブに作用する引張力を、それぞれ他の圧縮形直線スリーブに接続される電力線にかわすことができるので、並設される２つの圧縮形直線スリーブの機械的強度を１つの装置により同時に補強することができる。
このとき、請求項１記載の圧縮形直線スリーブ補強装置は、並設される２本の電力線のスペーサとしても利用することができる。
また、請求項１記載の発明における連結材の長さを所望の長さに変えることで、並設されるそれぞれの圧縮形直線スリーブの電力線の伸長方向におけるその取り付け位置が完全に一致していない場合でも、請求項１記載の圧縮形直線スリーブ補強装置を装着することが可能になる。よって、シンプルな構成でありながら、汎用性の高い圧縮形直線スリーブ補強装置を提供することができる。
また、圧縮形直線スリーブ補強装置を構成する全ての部品を導電材により構成した場合は、並設される２本の電力線のそれぞれを流れる電流を、圧縮形直線スリーブ補強装置により分流させることができる。この場合、２本の電力線のそれぞれに設けられる圧縮形直線スリーブの内部における劣化の進行を鈍化して、圧縮形直線スリーブの電気的強度を高めることができる。
この結果、請求項１記載の圧縮形直線スリーブ補強装置によれば、圧縮形直線スリーブを備えた電力線の張り替えが行われるまでの間、圧縮形直線スリーブの電気的強度及び機械的強度を補完して、断線させることなく、通常通り使用することを可能にできる。
【００１４】
請求項２記載の圧縮形直線スリーブ補強装置によれば、請求項１記載の発明と同じ効果に加えて、連結材の長さを自在に変更可能であるため、並設される２つの圧縮形直線スリーブの電力線上におけるその取り付け位置が一致しない場合でも、圧縮形直線スリーブ補強装置の取設を容易にできる。
また、請求項２記載の圧縮形直線スリーブ補強装置によれば、連結材の汎用性が高まることで、請求項２記載の圧縮形直線スリーブ補強装置の汎用性も高めることができる。
【００１５】
請求項３記載の圧縮形直線スリーブ補強装置によれば、請求項１又は請求項２記載の発明と同じ効果に加えて、連結治具を平板体により構成することで、発明の目的とする作用、効果を確実に発揮させながら、連結治具の製造コストを廉価にできる。
この結果、請求項３記載の圧縮形直線スリーブ補強装置を廉価に提供することができる。
【図面の簡単な説明】
【００１６】
【図１】本発明の実施の形態に係る圧縮形直線スリーブ補強装置の平面図である。
【図２】本発明の実施の形態に係る圧縮形直線スリーブ補強装置を構成するくさび型クランプの拡大図である。
【図３】本発明の実施の形態に係る圧縮形直線スリーブ補強装置の使用状態を示す側面図である。
【図４】図３中のＡ−Ａ線矢視断面図である。
【図５】本発明の実施の形態に係る圧縮形直線スリーブ補強装置の他の使用状態を示す平面図である。
【発明を実施するための形態】
【００１７】
本発明の実施の形態に係る圧縮形直線スリーブ補強装置について図１乃至図５を参照しながら詳細に説明する。
【００１８】
まず、本実施の形態に係る圧縮形直線スリーブ補強装置の概要について図１及び図２を参照しながら詳細に説明する。
図１は本発明の実施の形態に係る圧縮形直線スリーブ補強装置の平面図であり、図２は本発明の実施の形態に係る圧縮形直線スリーブ補強装置の使用状態を示す側面図である。
図１に示すように、本実施の形態に係る圧縮形直線スリーブ補強装置１は、並設される２本の電力線２ａ，２ｂのそれぞれに設けられる圧縮形直線スリーブ３ａ，３ｂの両端近傍に、一対ずつ合計４つのくさび型クランプ４が取設され、それぞれのくさび型クランプ４の引留め具４ｂに、連結体５が１本ずつ取設され、さらに、それぞれの連結体５における、くさび型クランプ４の引留め具４ｂに接続されない側の端部は、連結治具６にそれぞれボルト７及びナットを介して枢設され、４つのくさび型クランプ４と、４本の連結体５と、１つの連結治具６がＸ字形に一体に連結されるものである。
【００１９】
ここで、くさび型クランプ４について図２を参照しながら説明する。
くさび型クランプ４は、電力線２を切断することなく、くさび型クランプ４内に電力線２を通過させながら引き止めるための既存の治具である。また、このくさび型クランプ４は、通常、電力線２を支持する鉄塔のアーム近傍において電力線２を引き留める際の治具として使用されている。
このようなくさび型クランプ４は、平板状の金属板が２つ折りされてなるクランプ本体４ａの折り返し部分に溝４ｄが形成されて、この溝４ｄに電力線２を収容するとともに、この電力線２を、くさび４ｃ、及び、このくさび４ｃの両サイドに翼状に突設されるひれ４ｈにナット止めされるＵボルト４ｇにより強固に挟持固定し、くさび４ｃの上に突設される尾翼状突起４ｉ、及び、クランプ本体４ａに枢設される引留め具４ｂを、引留め具４ｂの枢設されない側の端部側に牽引することで、電力線２を引き留めることができるよう構成されるものである。
また、上述のようなくさび型クランプ４は、補強材としてクランプ本体４ａの胴部に添え金具４ｅを備えるとともに、電力線２とＵボルト４ｇの間に、ジャンパ金具４ｆを介設している。
このようなくさび型クランプ４を電力線２に取設した場合、くさび４ｃの先端４ｊが配される側に導出される電力線２に引張力が作用する一方、くさび４ｃの後端４ｋ側に導出される電力線２は引張力から開放される仕組みになっている。
【００２０】
ここで図３，４を参照しながら本実施の形態に係る圧縮形直線スリーブ補強装置１の使用状態について説明する。
図３は本発明の実施の形態に係る圧縮形直線スリーブ補強装置の使用状態を示す側面図であり、図４は図３中のＡ−Ａ線矢視断面図である。なお、図１，図２に記載されたものと同一部分については同一符号を付し、その構成についての説明は省略する。
図３において、地上９から最も離れた位置に設けられる圧縮形直線スリーブ３、及び、二番目に架設される電力線２に設けられる圧縮形直線スリーブ３のそれぞれには、改修や補強が必要な状態であることを示すために斜線を付している。
なお、図４において、電力線２ａ，２ｂの間に本実施の形態に係る圧縮形直線スリーブ補強装置１を取設した状態を拡大して示したものが先の図１である。
図４に示すように、一般に、電力線２ａ，２ｂは鉄塔８のアーム８ａの先端部に、絶縁体であるがいし１０を介して引き留め保持されている。また、通常、圧縮形直線スリーブ３ａ，３ｂは、鉄塔８と鉄塔８の間の中ほどに配置されている。なお、図３では鉄塔８近傍の様子を略して示しているが、鉄塔８のアーム８ａ近傍において電力線２ａ，２ｂは、がいし１０の真下を迂回して配設されている。また、並設される２本の電力線２ａ，２ｂの間にはスペーサ１１が適宜設けられている（図４にのみ記載）。
【００２１】
図４の紙面上半分側に示すように、並設される２本の電力線２ａ，２ｂのそれぞれに設けられる圧縮形直線スリーブ３ａ，３ｂの間に、本実施の形態に係る圧縮形直線スリーブ補強装置１を備えない場合は、圧縮形直線スリーブ３ａ，３ｂに、その長手方向両端を引き伸ばすような引張力が常時作用している。
また、図４に示す電力線２ａ，２ｂにおける圧縮形直線スリーブ３ａ，３ｂはいずれも、直列に連結される２本の電力線２の連結部であるため、この圧縮形直線スリーブ３ａ，３ｂに劣化等による発熱等の不具合が生じた場合には、圧縮形直線スリーブ３ａ，３ｂを速やかに改修又は補強する必要がある。
とりわけ、圧縮形直線スリーブ３ａ，３ｂの改修には大掛かりな作業が伴うため、圧縮形直線スリーブ３ａ，３ｂの不具合が発見された際に、直ちに改修作業を行うことは極めて困難である。
【００２２】
すなわち、圧縮形直線スリーブ３の改修の具体的な方法としては、例えば、図３中の符号Ｐ，Ｑで示す区間内にある圧縮形直線スリーブ３の両端方向に伸長する電力線２の全径間を、または、この全径間に加えてその前後径間の全ての電力線２を取り替えた上で、新たな圧縮形直線スリーブ３を、図３中の符号Ｒで示す位置に設ける方法（図３中の紙面上から３番目の圧縮形直線スリーブ３を参照）や、図３中の符号Ｒ，Ｑで示す区間内にある圧縮形直線スリーブ３の左右端部側のいずれかに伸長する電力線２の一部を取り替えて、図３中の符号Ｓで示す位置に新たな圧縮形直線スリーブ３を設ける方法（図３中の地上９に最も近い位置に配設される圧縮形直線スリーブ３を参照）などがある。
前者の場合、図３に示されない広範な領域の電力線２を取り替える必要があるので、仮設の電力線２の設置が必要になる上、その作業には多数の人員が必要になり、施工側にとって大きな負担であった。また、場合によっては長期間の停電も必要であった。
後者の場合は、前者の場合に比べて作業量自体は少なくなるものの、それでも大掛かりな作業が必要であることには変わりなかった。
そして、改修や補強が必要な圧縮形直線スリーブ３をそのまま長期間にわたって放置すると、最悪の場合、電力線２が断線して大規模な停電が起こる恐れもあり、このような事態を回避する目的で、何らかの手段により不具合を起こした圧縮形直線スリーブ３を速やかに補強する必要があった。
【００２３】
本実施の形態に係る圧縮形直線スリーブ補強装置１は、上述のような事情に鑑み発明されたものであり、並設される２本の電力線のそれぞれに設けられる圧縮形直線スリーブ３ａ，３ｂの間に取設されることで、２つの圧縮形直線スリーブ３ａ，３ｂを同時に補強することができる。
なお、仮に、改修又は補強が必要な圧縮形直線スリーブ３が、並設される圧縮形直線スリーブ３ａ，３ｂのいずれか一方であったとしても、圧縮形直線スリーブ３に本実施の形態に係る圧縮形直線スリーブ補強装置１を取設することによるデメリットは全くないので、並設される２つの圧縮形直線スリーブ３ａ，３ｂを同時に補強しても特に問題はない。
さらに、図示しないが、並設される２本の電力線２ａ，２ｂのいずれか一方にしか圧縮形直線スリーブ３が設けられていない場合であっても、本実施の形態に係る圧縮形直線スリーブ補強装置１を用いて、目的とする１つの圧縮形直線スリーブ３のみを補強することもできる。
【００２４】
再び図１に戻って本実施の形態に係る圧縮形直線スリーブ補強装置１についての説明を続ける。
図１に示すように、並設される２本の電力線のそれぞれに設けられる圧縮形直線スリーブ３ａ，３ｂの間に本実施の形態に係る圧縮形直線スリーブ補強装置１を介設した場合、図１中の圧縮形直線スリーブ３ａの左端側に伸長する電力線２に作用する引張力は、圧縮形直線スリーブ補強装置１のくさび型クランプ４、連結体５、連結治具６を介して、圧縮形直線スリーブ３ｂの右端側に伸長する電力線２に伝達され、圧縮形直線スリーブ３ａの右端側に伸長する電力線２に作用する引張力は、同様に、圧縮形直線スリーブ３ｂの左端側に伸長する電力線２に伝達される。
また、図１中の圧縮形直線スリーブ３ｂの左端側に伸長する電力線２に作用する引張力は、圧縮形直線スリーブ補強装置１のくさび型クランプ４、連結体５、連結治具６を介して、圧縮形直線スリーブ３ａの右端側に伸長する電力線２に伝達され、圧縮形直線スリーブ３ｂの右端側に伸長する電力線２に作用する引張力は、同様に、圧縮形直線スリーブ３ａの左端側に伸長する電力線２に伝達される。
この作用により、圧縮形直線スリーブ３ａ，３ｂは、その長手方向に引き伸ばすように作用する引張力が大幅に軽減され、圧縮形直線スリーブ３ａ，３ｂの機械的強度を同時に補完することができるのである。
この結果、圧縮形直線スリーブ３ａ，３ｂの改修に着手するまでの間、圧縮形直線スリーブ３ａ，３ｂにおいて断線が起こるのを防止できる。
【００２５】
また、本実施の形態に係る圧縮形直線スリーブ補強装置１を構成するくさび型クランプ４、連結体５、連結治具６、及び、その連結用の、例えば、ボルト及びナットの全てを、導電性を有する材質である、例えば、金属により構成した場合は、電力線２ａ，２ｂに流れる電流を、圧縮形直線スリーブ補強装置１により並設される他の電力線２に分流させることができるので、圧縮形直線スリーブ３ａ，３ｂに流れる電流の絶対量を少なくできる。
これにより、圧縮形直線スリーブ補強装置１が設けられた圧縮形直線スリーブ３ａ，３ｂの劣化進行を鈍化できる。よって、この点からも圧縮形直線スリーブ３ａ，３ｂにおいて電力線２の断線が起こるリスクを低減できる。つまり、本実施の形態に係る圧縮形直線スリーブ補強装置１を用いることにより、圧縮形直線スリーブ３ａ，３ｂの電気的強度を同時に補完することができる。
さらに、本実施の形態に係る圧縮形直線スリーブ補強装置１を電力線２ａ，２ｂ間に取り付ける際の作業量は、図４中に示すスペーサ１１を取り付ける際の作業とほぼ同程度であるため、その設置も極めて容易である。
また、圧縮形直線スリーブ３に不具合が発見された際に、直ちに電力線２の張り替え作業を行う場合のコストを考えると、軽微なコスト負担で圧縮形直線スリーブ３を十分に補強することができるというメリットも有する。
また、本実施の形態に係る圧縮形直線スリーブ補強装置１の取付け作業時に、長期間にわたって停電させる必要もないので、利用者側の負担も軽減できる。
【００２６】
すなわち、本実施の形態に係る圧縮形直線スリーブ補強装置１は、電力線２に設けられる圧縮形直線スリーブ３ａ，３ｂの機械強度を直接的に高めるものではないが、圧縮形直線スリーブ３ａ，３ｂに作用する引張力を同時に大幅に軽減するとともに、圧縮形直線スリーブ３ａ，３ｂにおける劣化進行を同時に鈍化することで、圧縮形直線スリーブ補強装置１の取り付け前後における圧縮形直線スリーブ３ａ，３ｂの機械的強度及び電気的強度を相対的に高めることがでる。
よって、本実施の形態に係る圧縮形直線スリーブ補強装置１によれば、並設される２つの圧縮形直線スリーブ３ａ，３ｂの電気的性能と機械的性能を、１つの装置で同時に補完することができる。これにより、劣化して発熱した圧縮形直線スリーブ３ａ，３ｂのいずれか１方又は両方を、電力線２ａ，２ｂのいずれか１方又は両方の交換までの間破断させず、設備としての機能を落とさず使用することを可能にするという効果を有する。
【００２７】
さらに、本実施の形態に係る圧縮形直線スリーブ補強装置１は、並設される２つの圧縮形直線スリーブ３ａ，３ｂを補強するための装置としてのみならず、並設される２本の電力線２ａ，２ｂのスペーサとしても使用できる。
より具体的には、くさび型クランプ４の引留め具４ｂの端部に接続される連結体５の、引留め具４ｂに接続されない側の端部が、連結治具６に枢設されることで、連結治具６に対する連結治具６の取り付け角度が変更可能となり、これにより、電力線２ａ，２ｂの間隔を所望の距離に保つことが可能になる。
この結果、本実施の形態に係る圧縮形直線スリーブ補強装置１を、圧縮形直線スリーブ３ａ，３ｂを同時に補強するための装置としてだけでなく、スペーサとしても使用することが可能になる。
【００２８】
なお、本実施の形態においては、並設される２つの圧縮形直線スリーブ３ａ，３ｂのいずれか一方又は両方に不具合が生じた際に、一時的な補強の目的で圧縮形直線スリーブ補強装置１を取設する場合を例に挙げて説明しているが、圧縮形直線スリーブ補強装置１は、電力線２ａ，２ｂの架設直後から圧縮形直線スリーブ３ａ，３ｂの間に取設しておいてもよい。
この場合、電力線２ａ，２ｂの架設直後から、圧縮形直線スリーブ３ａ，３ｂに作用する引張力を大幅に軽減するとともに、圧縮形直線スリーブ３ａ，３ｂに流れる電流の絶対量を少なくできるので、設置条件による不可避な圧縮形直線スリーブ３ａ，３ｂの劣化進行そのものを遅延させるという効果も期待できる。
この結果、圧縮形直線スリーブ３ａ，３ｂの劣化に伴う電力線２ａ，２ｂの一部又は全径間の架け替え作業が必要になるまでの期間を長くすることができる。これにより、架設された電力線２ａ，２ｂのメンテナンスにかかるコストを大幅に節減できる。
【００２９】
また、本実施の形態に係る圧縮形直線スリーブ補強装置１における連結体５を、その両端に環状構造を備える棒状体とすることで、先の図１にも示すように、既存のくさび型クランプ４と連結体５との連結を、ボルト７及びナットを用いて容易に行うことができる。この場合、本実施の形態に係る圧縮形直線スリーブ補強装置１の製造コストを廉価にするとともに、その取り付け作業を簡便にできるという効果が発揮される。
なお、連結体５の両端に形成される環状構造は、その強度に問題が生じないのであれば、完全に閉鎖した環状である必要はない。また、この環状構造は、厚手の平板材を環状に打ち抜き成形したものを用いてもよい。
さらに、後段において詳細に説明するが、連結治具６として矩形状の平板体を使用する場合、本実施の形態に係る連結体５を構成する棒状体の両端に形成される２つの環状構造は、同一平面上にその環が配置されるよう取設するとよい。あるいは、棒状体の中心軸を基軸に管状構造を回動可能に取設しておいてもよい。この場合、同一平面上にくさび型クランプ４の引留め具４ｂと、連結体５と、連結治具６とを配設するのを容易にすることができる。
なお、ここでは、くさび型クランプ４の引留め具４ｂと、連結体５との連結、及び、連結体５と連結治具６との連結に、例えば、ボルト７及びナットを用いる場合を想定して説明しているが、これらの連結をボルト７及びナットを用いて行わない場合は、連結体５を上述のような構造にする必要性は特にない。
より具体的には、連結治具６の平面方向において、連結体５の取り付け角度を変更可能に連結体５を枢設することができ、かつ、くさび型クランプ４の引留め具４ｂと連結体５とを強固に連結できるのであれば、その連結方法にどのような方法を用いてもよい。
【００３０】
また、本実施の形態においては、くさび型クランプ４と連結体５と連結治具６とをそれぞれ別体により構成する場合を例に挙げて説明しているが、それぞれの構成が目的とする作用、効果を発揮するのであれば、上述のそれぞれの構成はものとして一体に構成されていてもよい。より具体的には、くさび型クランプ４の引留め具４ｂと連結体５を予め一体に構成したものを用いてもよいし、あるいは、連結体５と連結治具６とを予め一体に構成したものを用いてもよい。
【００３１】
さらに、上述のような連結体５は、その伸長方向における長さを自在に調整可能な構造を備えていてもよい。より具体的には、図１に示すように、連結体５としてターンバックルを用いてもよい。あるいは、特に図示しないが、連結体５を、例えば、中空管の内側に螺合構造を備えた長筒体と、先に述べた連結体５の環状構造にねじ山を備えた棒状体を接続してなる部材とにより構成し、長筒体の両端の開口部のそれぞれに、ねじ山を備えた棒状体を螺設することでその長さを調整可能にしたものを用いてもよい。
いずれの場合も、連結体５の長さを変更可能にすることにより、設置位置が異なる複数種類の圧縮形直線スリーブ３が存在する場合であっても、本実施の形態に係る圧縮形直線スリーブ補強装置１の取り付けが可能になる。
【００３２】
図５は本発明の実施の形態に係る圧縮形直線スリーブ補強装置の他の使用状態を示す平面図である。なお、図１乃至図４に記載されたものと同一部分については同一符号を付し、その構成についての説明は省略する。
本実施の形態に係る圧縮形直線スリーブ補強装置１の連結体５が、その伸長方向における長さを自在に変更可能な構造を備えた場合は、図５に示すように、電力線２ａ，２ｂの伸長方向における圧縮形直線スリーブ３ａ，３ｂの取り付け位置が完全に一致していない場合でも、圧縮形直線スリーブ補強装置１の取り付けが可能になる。
上述の通り、本実施の形態に係る圧縮形直線スリーブ補強装置１を構成する連結体５を、その伸長方向における長さを調整可能とすることで、本実施の形態に係る圧縮形直線スリーブ補強装置１の汎用性を飛躍的に高めることができる。
つまり、電力線２ａ，２ｂに取設される圧縮形直線スリーブ３ａ，３ｂの取り付け位置が完全に一致しない場合でも、本実施の形態に係る圧縮形直線スリーブ補強装置１を支障なく取り付けることが可能になる。
【００３３】
さらに、本実施の形態に係る圧縮形直線スリーブ補強装置１では、連結治具６として、平板材を矩形状に切り抜いたものを使用してもよい。
この場合、連結治具６の四隅に４本の連結体５を、ボルト７及びナットを用いて取り付けるだけで、連結治具６に連結体５を回動可能に枢設することができる。
これにより、本実施の形態に係る圧縮形直線スリーブ補強装置１の構造を極めてシンプルにできるので、圧縮形直線スリーブ補強装置１を廉価に提供できる。
すなわち、本実施の形態に係る圧縮形直線スリーブ補強装置１が、既存の部品の組み合わせにより容易に構成できることにより、圧縮形直線スリーブ補強装置１の取り付けに際し、特殊な部品を製造して調達したり、特殊な工具を使用する必要がなくなる。
よって、本実施の形態に係る圧縮形直線スリーブ補強装置１を用いることで、電力線２の耐用年数を延長できるとともに、メンテナンス作業に係る作業性を向上し、かつ、メンテナンス作業に係るコストも削減できる。
なお、連結治具６を構成する平板材の形状は、必ずしも矩形状に限定される必要はなく、例えば、円形や楕円形、あるいは、これ以外の任意の形状であってもよい。
【産業上の利用可能性】
【００３４】
以上説明したように本発明は、並設される２本の電力線のそれぞれに設けられる２つの圧縮形直線スリーブを同時に補強することができ、しかも、スペーサとしても利用できる圧縮形直線スリーブ補強装置であり、送電設備や通信設備に関する分野において利用可能である。
【符号の説明】
【００３５】
１…圧縮形直線スリーブ補強装置  ２，２ａ，２ｂ…電力線  ３，３ａ，３ｂ…圧縮形直線スリーブ  ４…くさび型クランプ  ４ａ…クランプ本体  ４ｂ…引留め具  ４ｃ…くさび  ４ｄ…溝  ４ｅ…添え金具  ４ｆ…ジャンパ金具  ４ｇ…Ｕボルト  ４ｈ…ひれ  ４ｉ…尾翼状突起  ４ｊ…先端  ４ｋ…後端  ５…連結体  ６…連結治具  ７…ボルト  ８…鉄塔  ８ａ…アーム  ９…地上  １０…がいし  １１…スペーサ
【図１】
2013158090.tif 000003
【図２】
2013158090.tif 000004
【図３】
2013158090.tif 000005
【図４】
2013158090.tif 000006
【図５】
2013158090.tif 000007